(57)【要約】      （修正有）【課題】貯蔵水を常に新鮮な状態に保つことが出来る低コストで設置容易な家庭用の非常用貯水タンク。【構成】周囲が閉塞された中空状のタンク本体１の上面には、円筒状をなし、外周面に雄ねじ３が形成され、タンク本体１の内部空間４に連通した栓体取付座５が間隔をあけて一対形成されており、前記栓取付座５に螺合されるねじ込み式の栓体６により、タンク本体１の上方から排水管８の一端がわずかにその内部空間４に突出する様に、貫通状態で固定されていると共に、給水管７の一端が前記内部空間４の底面近傍まで達する様に同じくねじ込み式の栓体２により貫通状態で固定されており、前記給水管７の他端は水洗トイレ用ロータンク９内に設置されているボールタップ１０の吐水口１１に接続されていると共に、前記排水管８の他端はロータンク９の壁面１２の上部を貫通し、ロータンク９の内部空間上部に位置せしめられている。【選択図】図１
0003113432.tif 000002
【実用新案登録請求の範囲】
【請求項１】
周囲が閉塞された中空状のタンク本体１の上面には、円筒状をなし、外周面に雄ねじ３が形成され、タンク本体１の内部空間４に連通した栓体取付座５が間隔をあけて一対形成されており、前記栓取付座５に螺合されるねじ込み式の栓体６により、タンク本体１の上方から排水管８の一端がわずかにその内部空間４に突出する様に、貫通状態で固定されていると共に、給水管７の一端が前記内部空間４の底面近傍まで達する様に同じくねじ込み式の栓体２により貫通状態で固定されており、前記給水管７の他端は水洗トイレ用ロータンク９内に設置されているボールタップ１０の吐水口１１に接続されていると共に、前記排水管８の他端はロータンク９の壁面１２の上部を貫通し、ロータンク９の内部空間上部に位置せしめられていることを特徴とする非常用貯水タンク。
【請求項２】
タンク本体１がポリタンクによって構成されていることを特徴とする請求項１記載の非常用貯水タンク。
【請求項３】
給水管７の管路途中に浄水器１４を介装したことを特徴とする請求項１記載の非常用貯水タンク。
【考案の詳細な説明】
【技術分野】
【０００１】
この考案は災害に備える用具、所謂、防災用具に関するものである。
【背景技術】
【０００２】
我国において、地震等の災害は繰り返し発生しており、何時起きるかも知れないこれら災害に対する備えは、常に求められている。飲料水、生活用水の確保もこの災害に対する備えとして極めて重要であることは論を待たず、飲料水や生活用水を貯蔵する為の非常用貯水タンクも、従来よりいくつか提案されている。
【特許文献１】なし
【非特許文献１】なし
【考案の開示】
【考案が解決しようとする課題】
【０００３】
従来提案されている非常用貯水タンクは、水を効果的に貯蔵しようとすることを主眼とするものがほとんどであるが、水を常温中でそのまま貯蔵しても、雑菌の作用によりすぐに腐敗してしまうので、飲料水や生活用水の貯蔵は想像以上にむずかしく、主に家庭を対象とした、低コストで手軽に設置出来る非常用貯水タンクは、あまり見当たらなかった。
【０００４】
タンク内の貯蔵水が絶えず入れ替わる様にすれば、貯蔵水の腐敗を防ぐことが出来るので、ポリタンクに給水管と排水管とを取付け、給水管の一端を水道管に直結すると共に、排水管の管末にタップ（蛇口）を取付け、水道水を一旦ポリタンクに滞溜させた後、排水管のタップを開閉することにより、外部に流出させる様にした非常用貯水タンクも提案されている。
【０００５】
この非常用貯水タンクにおいては、ポリタンク内の水は絶えず入れ替わっているので、水の腐敗は起こり得ず、常に新鮮で衛生的な水を確保することが可能であるが、ポリタンク内には常に水道管内と同等の大きな水圧がかかっている為、ポリタンクがこの水圧に耐え切れずに破裂してしまうことが多く、到底実用に供し得るものではなかった。
【０００６】
本考案者は、非常用貯水タンクに関する上記従来の問題点を解決すべく研究を行った結果、貯水タンク本体に過大な水圧がかからず、貯水タンク内の水は常に入れ替わるので、腐敗するおそれがない、主に家庭用を対象とした極めて実用的価値の高い非常用貯水タンクを開発することに成功し、本考案としてここに提案するものである。
【課題を解決するための手段】
【０００７】
周囲が閉塞された中空状のタンク本体１の上面には、円筒状をなし、外周面に雄ねじが形成され、タンク本体１の内部空間４に連通した栓体取付座５が間隔をあけて一対形成されており、前記栓取付座５に螺合されるねじ込み式の栓体６により、タンク本体１の上方から排水管８の一端がわずかにその内部空間４に突出する様に、貫通状態で固定されていると共に、給水管７の一端が前記内部空間４の底面近傍まで達する様に同じくねじ込み式の栓体２により貫通状態で固定されており、前記給水管７の他端は水洗トイレ用ロータンク９内に設置されているボールタップ１０の吐水口１１に接続されていると共に、前記排水管８の他端はロータンク９の壁面１２の上部を貫通し、ロータンク９の内部空間上部に位置せしめられている非常用貯水タンクにより、上記課題を解決した。
【０００８】
この考案に係る非常用貯水タンクにおいては、水洗トイレのロータンク９と接続させることにより、水を全く浪費することなく新鮮な水を常に確保することが出来、いつ起こるかも知れない災害時に備えることが出来る。又、排水管８のロータンク９側の端末２２はロータンク９内において水面より上方の空間に開口しているので、タンク本体１には過大な水圧がかかることがないので、タンク本体１として通常のポリタンクを用いることも可能で、調達コストも低く、設置スペースも小さく、低コストで各家庭に手軽に設置出来る。
【実施例】
【０００９】
図１はこの考案に係る非常用貯水タンクの一実施例の断面図であり、図中１は周囲が閉塞された中空状のタンク本体であり、この実施例においては、容量２０リットルの合成樹脂製のポリタンクをそのまま用いている。
【００１０】
タンク本体１の上面には、円筒状をなし、外周面に雄ねじ３が形成され、タンク本体１の内部空間４に連通した栓体取付座５が間隔をあけて一対形成されている。なお、これは従来から存在している一般的なポリタンクと全く同じ構成である。そして、前記栓体取付座５にはねじ込み式の栓体６及び２がそれぞれ取りはずし自在にねじ込み固定されており、一方の栓体６には排水管８が、その一端がわずかに内部空間５に突出する様な状態で貫通固定せしめられており、他方の栓体２には給水管７の一端が内部空間４の底面近傍に達する様な状態で貫通固定せしめられている。
【００１１】
一方、前記給水管７の他端は、水洗トイレ用ロータンク９内に設置されているボールタップ１０の吐水口１１に接続されている。又、このボールタップ１０の入水側は逆流防止弁２３を介して水道管１６に接続されている。更に、この実施例においては、給水管７の途中に浄水器１４を取りはずし自在に取付けており、給水管７を通過する水を浄化すると共に、この浄水器１４をはずすことにより、ロータンク９とタンク本体１との接続を解除出来る様になっている。
【００１２】
一方、排水管８の端末２２はロータンク９の壁面１２の上部を貫通してロータンク９の水面より上方の内部空間に位置せしめられている。なお、図中１３は排水管８の途中に設けられたコネクターであり、このコネクター１３をはずすことにより、ロータンク９とタンク本体１との接続を解除出来る様になっている。又、図中１５は浮き玉、１６は水道管、１７はゴムフロート弁、１８はオーバーフロー管、１９はロータンクレバー、２０は水道管であり、これらは通常の水洗トイレ用ロータンクの基本的な構成部品である。
【００１３】
この実施例は上記の通りの構成を有し、図示の通り、水洗トイレのロータンク９に接続して用いるものであり、ロータンク９のロータンクレバー１９を操作し、ロータンク９内に溜めておいて水２１を便器へ一気に流すと、浮き玉１５が下降し、ボールタップ１０が作動し、その吐水口１１から給水管７に水２１が吐出される。この水２１は浄水器１４を通過して、タンク本体１内に流れ込み、貯水されることになる。この様にしてタンク本体１内の水位が上昇し、タンク本体１の内部空間４の上端まで達すると、タンク本体１内の水２１は水圧によって排水管８からロータンク９内に還流し、ロータンク９内に溜まる。
【００１４】
そして、ロータンク１３内の水位が上昇すると、ボールタップ１０の浮き玉１５が上昇し、ボールタップ１０内の流路が閉塞され、吐水口１１からの水２１の吐出がストップし、ロータンク１３内には便器洗浄用の水２１が規定量貯水されたことになる。従って、ロータンク１３内の水２１を便器洗浄の為に流出させるたびに、タンク本体１内に水２１が流れ込むことになり、このことにより、タンク本体１内の水２１は常に入れ替えられる。
【００１５】
そして、地震その他災害で飲料水や生活用水の必要が生じたときには、タンク本体１とロータンク９との接続を解除し、タンク本体１を必要とする箇所に持ち込み、その中の水２１を所望の用途に使用すれば良い。
【００１６】
この様に、この考案に係る非常用貯水タンクにおいては、水洗トイレのロータンク１３と接続させることにより、水２１を全く浪費することなく、新鮮な水２１を常に確保することが出来、いつ起こるかも知れない災害時に備えることが出来る。又、排水管８のロータンク側の端末２２は、ロータンク９内において水面より上方の空間に開口しているので、タンク本体１には水道管１６の内圧に等しい大きな水圧がかかることがなく、低い水圧しか加わらないので、タンク本体１として通常のポリタンクを用いることも可能で、調達コストも低く、設置スペースも小さくてすみ、各家庭に手軽に設置出来る。
【産業上の利用可能性】
【００１７】
防災の分野において、高い実用的価値を有する。
【図面の簡単な説明】
【００１８】
【図１】この考案に係る非常用貯水タンクの一実施例の断面図。
【符号の説明】
【００１９】
１    タンク本体
２    栓体
３    雄ねじ
４    内部空間
５    栓体取付座
６    栓体
７    給水管
８    排水管
９    ロータンク
１０    ボールタップ
１１    吐水口
１２    壁面
１３    コネクター
１４    浄水器
１５    浮き玉
１６    水道管
１７    ゴムフロート弁
１８    オーバーフロー管
１９    ロータンクレバー
２１    水
２２    端末
２３    逆流防止弁
【図１】
0003113432.tif 000003